(57)【要約】本発明では、（１）流通期限設定部、（２）流通期限情報管理部、（３）流通期限満了処理部等を追加することにより、流通期限内の商品のみ販売されるようにし、自動販売機で商品を購買する顧客に対して衛生及び食品の安全性を保障するようにした。また、比較的短い流通期限内に商品を全て販売することができなければ大きな事業的損失につながる商品の割引販売のために（４）割引設定部、（５）割引処理部を追加した。また、商品の販売が円滑でない場合には追加割引が可能になるように構成し、商品の販売が円滑な場合にも少量の在庫まで完全に消尽するために売り尽くし販売が可能になるように構成した。
2018519609.tif 000002
【特許請求の範囲】
【請求項１】
商品の流通期限を設定する流通期限設定部、
上記流通期限設定部で設定された商品の流通期限を保存して管理する流通期限情報管理部、
上記流通期限情報管理部で保存した商品の流通期限の到来可否をチェックし、流通期限満了時に該当商品の販売が不可能なように設定する流通期限満了処理部、
商品について割引を適用する割引時点、割引方法、そして割引時点に割引方法を適用するなら満足されるべき割引条件のうち、いずれか一つ以上を設定する割引設定部、及び
上記割引設定部で設定された割引方法を適用する割引処理部を含んで構成されることを特徴とする自動販売機。
【請求項２】
商品の在庫量をリアルタイムで把握して管理する在庫量情報管理部、
在庫量が特定水準以上の場合に追加割引のために、基準在庫量を設定し、特定時点の在庫が基準在庫量以上の場合に追加で適用する割引方法を設定する追加割引設定部、及び
特定時点の在庫が基準在庫量以上の場合に、上記追加割引設定部で設定された割引方法を適用する追加割引処理部をさらに含むことを特徴とする、請求項１に記載の自動販売機。
【請求項３】
商品の在庫量をリアルタイムで把握して管理する在庫量情報管理部、
在庫量が特定水準以下または未満の場合に売り尽くし販売のために、基準在庫量を設定し、特定時点の在庫が基準在庫量以下または未満の場合に売り尽くし販売に適用する割引方法を設定する売り尽くし販売設定部、及び
特定時点の在庫が基準在庫量以下または未満の場合に、上記売り尽くし販売設定部で設定された割引方法を適用する売り尽くし販売処理部をさらに含むことを特徴とする、請求項１に記載の自動販売機。
【請求項４】
商品の流通期限を設定する流通期限設定段階、
上記流通期限設定段階で設定された商品の流通期限を保存して管理する流通期限情報管理段階、
上記流通期限情報管理段階で保存した商品の流通期限の到来可否をチェックし、流通期限満了時に該当商品の販売が不可能なように設定する流通期限満了処理段階、
商品について割引を適用する割引時点、割引方法、そして割引時点に割引方法を適用するなら満足されるべき割引条件のうち、いずれか一つ以上を設定する割引設定段階、及び
上記割引設定段階で設定された割引方法を適用する割引処理段階を含むことを特徴とする、自動販売機での商品割引方法。
【請求項５】
追加割引の基準となる基準在庫量を設定し、特定時点の在庫量が基準在庫量以上の場合に追加で適用する割引方法を設定する追加割引設定段階、及び
特定時点の在庫量が基準在庫量以上の場合に上記追加割引設定段階で設定された割引方法を適用する追加割引処理段階をさらに含むことを特徴とする、請求項４に記載の自動販売機での商品割引方法。
【請求項６】
売り尽くし販売の基準となる基準在庫量を設定し、特定時点の在庫量が基準在庫量以下または未満の場合に売り尽くし販売を行う割引方法を設定する売り尽くし販売設定段階、及び
特定時点の在庫量が基準在庫量以下または未満の場合に上記売り尽くし販売設定段階で設定された割引方法を適用する売り尽くし販売処理段階をさらに含むことを特徴とする、請求項４に記載の自動販売機での商品割引方法。
【請求項７】
割引方法とは、割引価格適用、割引率適用、割引幅適用、おまけ割引、贈呈割引、基準金額以上購買時割引、基準数量以上購買時割引、在庫量基準割引のうち、いずれか一つであることを特徴とする、請求項１に記載の自動販売機。
【請求項８】
割引方法とは、割引価格適用、割引率適用、割引幅適用、おまけ割引、贈呈割引、基準金額以上購買時割引、基準数量以上購買時割引、在庫量基準割引のうち、いずれか一つであることを特徴とする、請求項４に記載の自動販売機での商品割引方法。
【発明の詳細な説明】
【技術分野】
【０００１】
本発明は、自動販売機に関する。より詳しくは、販売商品の流通期限を設定及び管理し、流通期限に到逹した商品に対する販売禁止設定機能を有し、流通期限以内において設定された割引時点と割引条件に従って多様な方法で価格を割引いてくれる自動販売機に関する。
【背景技術】
【０００２】
自動販売機は、人の介入なしに顧客に商品を販売する装置であり、店鋪維持に伴う人件費と空間費用を大幅に節減することができる長所と、販売過程の便利性、管理の容易性等の長所のため、その領域を拡大し続けてきた。
【０００３】
今日、自動販売機は、乗車券、飲料、菓子、嗜好食品、使い捨て用品、生活必需品、おもちゃ、図書、化粧品等、多様な部門に適用されており、今後も便利な流通方式の一つとして確固たる地位を維持するものと予測される。
【０００４】
しかし一方では、自動販売機を介して購買する商品に対する顧客の不安感や不信が存在することも事実であり、特に食物や飲料等の食べる物の場合、このような不安感はさらに高くなる。このような不安感や不信の主要原因としては、食品の安全性に関するものを挙げることができるが、材料及び商品の徹底した流通期限管理、自動販売機内の衛生管理、及び清潔維持等がそれに対する解決策といえる。
【０００５】
自動販売機で販売する食品及び飲料の安全性が保障されなければ、商品を購買した顧客の健康と生命が危険にさらされることになり、顧客はこれに対する不安感と不満を感じ得るし、購買者と販売者の間に訴訟等の法的紛争が発生することもあり得、このように潜在顧客らの不安感が高まったり食品の安全性を侵害する事件が繰返されるに伴い、自動販売機を介した売上げが下落したり、ある水準以上成長することができない限界点が残るようになり、関連産業も不振になる悪循環が不可避である。
【０００６】
また、流通期限が比較的短い商品の場合には、流通期限が過ぎた商品を全量廃棄しなければならないことが頻繁に発生することにより、販売者には事業的損失を与え、食品の場合には生ごみの排出というまた別の問題を誘発する。したがって、流通期限が比較的短い商品を販売する自動販売機では、食品の安全性を保障する一方、短い流通期限内に最大限多くの商品を販売することができる効率的な方法及び体系がさらに切実に要求される。
【０００７】
流通期限を考慮した自動販売機に関する特許としては、［大韓民国特許第１０−０９８８７５４号］、［大韓民国実用新案第２０−０４６３５７７号］、［大韓民国実用新案第２０−０３５２２４７号］等がある。
【０００８】
［大韓民国特許第１０−０９８８７５４号］は、同一のボタンに該当する（同一の積載箱から排出される）商品同士も流通期限が各々違うことがあり得て流通期限管理の負担を加重させ、商品の整列順序及び排出順序が商品の流通期限順ではないため、すでに流通期限が経過した商品が積載箱の中間や後ろの部分に存在することがあり得、このような商品が適時に販売されずに廃棄されなければならないことによる損失発生の可能性がある。
【０００９】
［大韓民国実用新案第２０−０４６３５７７号］は、顧客が買いたい商品の選択ボタンを押した後に流通期限をチェックして、流通期限が過ぎた商品は排出されないようにすることにより、自動販売機内には商品が存在するものと表示されて特定商品の選択ボタンを押したのに、実際には流通期限以内の商品がなくて購買が不可能な状況が発生することもあり得る。
【００１０】
［大韓民国実用新案第２０−０３５２２４７号］は、適用対象を缶飲料に制約し、流通期限を任意に延長できるようにすることにより、自動販売機の管理者によって流通期限の操作や偽造が可能な余地を残している。
【００１１】
割引販売機能を備えた自動販売機に関する特許としては、［大韓民国特許１０−０９９３８３３号］、［大韓民国出願１０−１９９８−０００８３３７号］等がある。
【００１２】
前者の特許は、サーバーからイベント情報の伝達を受けて保存した後、顧客が選択した商品がイベント対象品目であれば、これについての情報を顧客に案内する発明であり、サーバーが全ての割引イベントを統制するので、自動販売機ごとに各々異なる販売状況にそった独自の割引政策を行うことができないという限界があり、案内を受けた顧客に割引された価格で商品を販売するための具体的な処理方法（例：商品価格を本来の価格から割引された価格に修正してディスプレイし、投入された金額と商品価格を比較するとか、お釣りを計算する時にも割引された価格を反映して処理する等）についての敍述は省略されている。
【００１３】
後者の特許は、あらかじめ設定された販売回数に到達すると、お祝いのメッセージとともに販売金額を割引くものであり、顧客の興味を誘発させることにより自動販売機の売上げを上げることをその目的とする。しかし食品を販売する自動販売機、特に流通期限が非常に短い食品（例：パン、餅、のり巻き、おにぎり等）を販売する自動販売機の場合には、当日または数日内に到来する流通期限以前に商品を全て販売することができなかった場合、大きな費用の損失を招き得るし、また環境に負担を与える生ごみ等の廃棄物の排出が不可避であるという点で、このようなイベントや興味本位の割引よりは、もう少し真面目で効果的な割引方法が必要だということができる。また１０番目や１００番目の注文に対してだけ割引く方法は、大量の悪性在庫が残り得る状況ではあまり役に立つことができない。
【発明の概要】
【発明が解決しようとする課題】
【００１４】
食品や飲料を販売する自動販売機では、徹底した流通期限管理が必須であり、また当日または数日内に流通期限が到来するか、流通期限が比較的短い商品（例：パン、餅、のり巻き、おにぎり、果物、野菜、魚、天然材料を使用した商品等）の場合には、非常に短い流通期限内に全量を販売することができなければ、大きな事業的損失を被り得るし、環境に負担となる生ごみ等の廃棄物の排出も不可避であるので、より積極的な在庫管理と販売政策によって流通期限内に最大限の物量を消尽することができるようにする必要がある。
【００１５】
本発明は、食品または天然材料を使用した商品等、流通期限が比較的短い商品を販売する自動販売機において、食品の安全性を高め、顧客が安心して購入することができる体系的な流通期限管理方法を提示することをその目的とする。
【００１６】
また、流通期限以内において多様な方法で商品の価格を割引くことにより、顧客の購買欲求を刺激して事業者の売上げを増大させる一方、流通期限が到来するまで商品が販売されずに発生する事業的損失と生ごみ等の廃棄物の排出量を最小化することをその目的とする。
【課題を解決するための手段】
【００１７】
本発明では、食品または天然材料を使用した商品等、流通期限が比較的短い商品を販売する自動販売機において、（１）商品の流通期限を設定する流通期限設定部、（２）流通期限設定部で設定された商品別流通期限を保存して管理する流通期限情報管理部、（３）流通期限情報管理部で保存した商品の流通期限の到来可否をチェックし、流通期限満了時に該当商品の販売が不可能なように設定する流通期限満了処理部等を追加することにより、流通期限内の商品のみ販売されるようにして、自動販売機で商品を購買する顧客に対して衛生及び食品安全性を保障するようにした。
【００１８】
また、比較的短い流通期限内に商品を全て販売することができなければ、大きな事業的損失につながる商品の割引販売のために、（４）商品について割引を適用する割引時点、割引方法、割引時点に割引方法を適用するなら満足されるべき割引条件のうち、いずれか一つ以上を設定する割引設定部、（５）上記割引設定部で設定された内容に従って割引方法を適用する割引処理部を追加した。
【００１９】
また商品の販売が円滑でない場合の追加割引のために、（６）商品の在庫量をリアルタイムで把握して管理する在庫量情報管理部、（７）追加割引の基準となる在庫量（以下「基準在庫量」）を設定し、特定時点の在庫が基準在庫量以上の場合に、追加で適用する割引方法を設定する追加割引設定部、（８）特定時点の在庫が基準在庫量以上の場合に、上記追加割引設定部で設定された割引方法を適用する追加割引処理部を追加した。
【００２０】
また商品の販売が円滑な場合にも、少量の在庫まで完全に消尽するために、（９）売り尽くし販売の基準となる基準在庫量を設定し、特定時点の在庫が基準在庫量以下または未満の場合に適用する割引方法を設定する売り尽くし販売設定部、（１０）特定時点の在庫が基準在庫量以下または未満の場合に、上記売り尽くし販売設定部で設定された内容に従って売り尽くし販売を行う売り尽くし販売処理部を追加した。
【発明の効果】
【００２１】
本発明の効果は次のとおりである。
第一、流通期限を徹底して管理することができる機能を提供することにより、食品衛生と安全性を高め、
第二、これにより自動販売機で商品を購買する顧客の不安感を解消し、購買後の不満の素地を最小化し、
第三、顧客が安心して自動販売機から商品を購入するようにすることにより、自動販売機事業者の売上げ増大に寄与し、
【００２２】
第四、流通期限以内において、多様な方法で商品の価格を割引いて顧客の購買欲求を刺激することにより、流通期限が経過した商品の廃棄に伴う損失を最小化し、生ごみ等の廃棄物の発生量を減少させることができる。
【図面の簡単な説明】
【００２３】
【図１】一般的な自動販売機の例である。
【図２】本発明の代表図である。
【図３】本発明による自動販売機の販売対象商品及びその下に位置する各種ボタンの実施例である。
【図４】流通期限設定の例である、
【図５】流通期限以内において割引方法を設定した例である。
【図６】第５図で設定した割引時点が到来するに伴って割引方法を適用した実施例である。
【図７】おまけ割引（Ｎ＋Ｍ）の実施例である。
【図８】特定金額以上または特定数量以上購買時の割引方法設定の例である。
【図９】在庫が基準在庫量以上の場合にのみ割引方法を適用した実施例である。
【図１０】在庫が基準在庫量以上の場合の追加割引を適用した実施例である。
【図１１】売り尽くし販売の実施例である。
【図１２】割引時点と無関係に、在庫が売り尽くし販売の基準在庫量以下または未満の場合に売り尽くし販売を行う実施例である。
【発明を実施するための形態】
【００２４】
（発明を実施するための最善の形態）
本発明の実施のための最善の形態は、請求項第１項と第４項に述べられている。
【００２５】
本発明によって構成される最も望ましい自動販売機は、請求項第１項のとおり、（１）商品の流通期限を設定する流通期限設定部、（２）上記流通期限設定部で設定された商品の流通期限を保存して管理する流通期限情報管理部、（３）上記流通期限情報管理部で保存した商品の流通期限の到来可否をチェックし、流通期限満了時に該当商品の販売が不可能なように設定する流通期限満了処理部、（４）商品について割引を適用する割引時点、割引方法、そして割引時点に割引方法を適用するなら満足されるべき割引条件のうち、いずれか一つ以上を設定する割引設定部、（５）上記割引設定部で設定された割引方法を適用する割引処理部を含んで構成される。
【００２６】
また第１項の構成を段階別に述べたものが第４項で、本発明によって構成される最も望ましい自動販売機のまた他の形態は（１）商品の流通期限を設定する流通期限設定段階、（２）上記流通期限設定段階で設定された商品の流通期限を保存して管理する流通期限情報管理段階、（３）上記流通期限情報管理段階で保存した商品の流通期限の到来可否をチェックし、流通期限満了時に該当商品の販売が不可能なように設定する流通期限満了処理段階、（４）商品について割引を適用する割引時点、割引方法、そして割引時点に割引方法を適用するなら満足されるべき割引条件のうち、いずれか一つ以上を設定する割引設定段階、（５）上記割引設定段階で設定された割引方法を適用する割引処理段階を含んで構成され、第１項と第４項の具体的な構成要素は事実上同一であるといえる。
【実施例１】
【００２７】
本発明によって構成される自動販売機は、流通期限が迫っているのに商品の在庫が基準数量以上の場合に、追加割引を施行するために、請求項第１項の構成の他に第２項のとおり、（１）商品の在庫量をリアルタイムで把握して管理する在庫量情報管理部、（２）在庫量が特定水準以上の場合に追加割引のために、基準在庫量を設定し、特定時点の在庫が基準在庫量以上の場合に追加で適用する割引方法を設定する追加割引設定部（３）特定時点の在庫が基準在庫量以上の場合に、上記追加割引設定部で設定された割引方法を適用する追加割引処理部を追加で含むことができる。
【実施例２】
【００２８】
また在庫が基準数量以下または未満の場合に売り尽くし販売のために、請求項第１項の構成の他に第３項のとおり、（１）商品の在庫量をリアルタイムで把握して管理する在庫量情報管理部（２）在庫量が特定水準以下または未満の場合に売り尽くし販売のために、基準在庫量を設定し、特定時点の在庫が基準在庫量以下または未満の場合に売り尽くし販売に適用する割引方法を設定する売り尽くし販売設定部、（３）特定時点の在庫が基準在庫量以下または未満の場合に上記売り尽くし販売設定部で設定された割引方法を適用する売り尽くし販売処理部を追加で含むことができる。
【００２９】
以上は請求項第１項の構成に第２項または第３項の構成を追加で含む構成であり、請求項第４項については第５項と第６項の構成がそれぞれ第２項と第３項の構成に対応する。
【産業上の利用可能性】
【００３０】
本発明の自動販売機は、既存の自動販売機に徹底した流通管理機能と多様な割引機能を付加したものであり、（１）徹底した流通期限管理が必須である食品や飲料等について食品安全性を保障するように具現されることができ、（２）流通期限が比較的短い商品（例：パン、餅、のり巻き、おにぎり、果物、野菜、魚、天然材料を使用した商品等）の場合、非常に短い流通期限内に全量を販売しきれないことにより発生し得る事業的損失を減らし、排出される生ごみ等の規模を最小化することができるように具現されることができる。
【００３１】
したがって、本発明の具現によって食品安全性に対する顧客の要求に対応し、在庫を最大限消尽して事業者の損失を減らす一方、売上げを極大化し、環境的負担を減らす多角的な効果を得ることができ、このような社会的／国家的Ｎｅｅｄｓに対応することにより、本発明の自動販売機は、十分な事業的価値と産業上の利用可能性を有している。
【００３２】
また本発明の多様な割引方法は、本発明の図面によって説明したように、簡便かつ効率的な使用者インターフェース（ＵＩ）で具現されることができ、具体的な処理方法はマイクロプログラミング等の方法で具現され、事業的利用及び販売が可能である。
【図１】
2018519609.tif 000003
【図２】
2018519609.tif 000004
【図３】
2018519609.tif 000005
【図４】
2018519609.tif 000006
【図５】
2018519609.tif 000007
【図６】
2018519609.tif 000008
【図７】
2018519609.tif 000009
【図８】
2018519609.tif 000010
【図９】
2018519609.tif 000011
【図１０】
2018519609.tif 000012
【図１１】
2018519609.tif 000013
【図１２】
2018519609.tif 000014
【国際調査報告】
2018519609.tif 000015
2018519609.tif 000016
2018519609.tif 000017
2018519609.tif 000018